(57)【要約】【課題】インターネット等と家庭内等に設置された機器と携帯電話機等とを有機的に接続することにより、携帯電話機等により公衆電話回線網を使用した通話を行うことができると共に家庭内等に設置された機器のデータやインターネットを利用することができるネットワーク接続装置を提供することを目的とする。【解決手段】本発明のネットワーク接続装置１は、全体を管理する管理部１ａと、外部ネットワークに接続する物理層からなる第１のインターフェース部５と、内部ネットワークに接続する物理層からなる第２のインターフェース部６と、公衆電話回線網に接続する物理層からなる電話線インターフェース部７と、各インターフェース部に対する入出力通信を制御する通信制御部２と、各インターフェース部から受信したデータを記憶する記憶部４と、を備え、管理部１は、記憶部４に記憶したデータを各インターフェース部に送信する構成を有している。【選択図】  図１
2004165773.tif 000002
【特許請求の範囲】
【請求項１】
全体を管理する管理部と、ＷＡＮやインターネット等の外部ネットワークに接続する物理層からなる第１のインターフェース部と、ＬＡＮ等の内部ネットワークに接続する物理層からなる第２のインターフェース部と、ＰＳＴＮ等の公衆電話回線網に接続する物理層からなる電話線インターフェース部と、前記第１、第２のインターフェース部及び電話線インターフェース部に対する入出力通信を制御する通信制御部と、前記第１のインターフェース部又は前記第２のインターフェース部から受信したデータを記憶する記憶部と、を備え、
前記管理部は、前記第１のインターフェース部又は前記第２のインターフェース部或いは前記電話線インターフェース部から受信したデータを記憶部に記憶し、記憶した前記データを前記第１のインターフェース部又は前記第２のインターフェース部或いは前記電話線インターフェース部に送信することを特徴とするネットワーク接続装置。
【請求項２】
前記第１のインターフェース部はＩＰ網を伝送する制御用データとしてのＩＰパケットデータを通信する接続線であり、前記管理部は、前記ＩＰ網を介して前記第１のインターフェース部から受信した前記制御用データを前記通信制御部を介して前記第２のインターフェース部へ送信することを特徴とする請求項１に記載のネットワーク接続装置。
【請求項３】
前記管理部は、前記第１のインターフェース部よりデータを要求する指令データを受信した場合、予め前記第２のインターフェース部から前記記憶部に記憶されている要求されたデータをＩＰパケットデータに変換して前記第１のインターフェース部に送信することを特徴とする請求項１又は２に記載のネットワーク接続装置。
【請求項４】
前記第１のインターフェース部又は前記第２のインターフェース部或いは前記電話線インターフェース部から受信したデータの内容に基づいて前記データの送信又は転送を制御するサーバ部を備えたことを特徴とする請求項１乃至３の内いずれか１項に記載のネットワーク接続装置。
【請求項５】
前記サーバ部は、前記電話線インターフェース部を介して接続されたインターネットサービスプロバイダからホスト側ＩＰアドレスを取得し、前記第１のインターフェース部又は前記第２のインターフェース部に接続された機器に各々個別のクライアント側ＩＰアドレスを付与することを特徴とする請求項４に記載のネットワーク接続装置。
【請求項６】
前記第１のインターフェース部又は前記第２のインターフェース部を伝送する通信プロトコルデータと前記電話線インターフェース部を伝送するアナログデータとを相互に変換する回線制御部を備えたことを特徴とする請求項１乃至５の内いずれか１項に記載のネットワーク接続装置。
【請求項７】
前記第１のインターフェース部はＩＰ網を伝送する音声データとしてのＩＰパケットデータを通信する接続線であり、前記回線制御部は、前記ＩＰパケットデータを公衆電話回線網を伝送する電話線用アナログデータに変換し前記電話線インターフェース部に送信又は前記第１のインターフェース部にデータを重畳して送信し回線交換方式で音声データの通信を行うことを特徴とする請求項６に記載のネットワーク接続装置。
【発明の詳細な説明】
【０００１】
【発明の属する技術分野】
本発明は、家庭内や小規模のオフィス内などに設置されるＰＣ等の複数のネットワーク端末機器をインターネット等の外部ネットワークに接続するネットワーク接続装置に関する。
【０００２】
【従来の技術】
近年、インターネットの爆発的な普及に伴い、家庭内や小規模オフィス内等に設置された複数のパーソナルコンピュータ（以下、ＰＣという）を集約してインターネットに接続したいという要望が急速に高まっている。また、家庭内のオーディオビジュアル（以下、ＡＶという）機器等のデジタルネットワーク化が進むと共に、携帯電話機のＩＰ化も急速に進展している。
【０００３】
図５は従来のネットワーク接続装置としてのルータを用いたネットワークシステムの構成図である。
【０００４】
図５において、１０１はインターネット、１０１ａはインターネットサービスプロバイダ（以下、ＩＳＰという）、１０２は家庭内やオフィス内等に設置されたＰＣやＡＶ機器等を集約して外部ネットワークに接続するネットワーク接続装置としてのルータ、１０３はルータ１０２によりインターネット１０１に接続されるイーサネット（Ｒ）、１０４ａ〜１０４ｃはイーサネット（Ｒ）１０３によりネットワーク化されたＰＣである。
【０００５】
以上のように構成された従来のネットワーク接続装置としてのルータ１０２を用いたネットワークシステムにおいて、インターネット１０１からＩＳＰ１０１ａ経由で通信されたインターネット１０１の情報は、ルータ１０２に設けられたインターフェースを介してＰＣ１０４で受信され、インターネットによる通信が行われていた。また、インターネット１０１の情報の通信を行うネットワーク端末機器としては、図５に示すように主にＰＣが用いられていた（例えば、特許文献１参照）。
【０００６】
また、家庭内やオフィス内等において、複数存在するＡＶ機器又は電話やファクシミリ等を含めた情報機器は通常各々独立して使用されるため、これらの機器をネットワーク化すると共にＷＡＮやインターネット等の外部のネットワークや外部の携帯電話機、携帯端末等と接続し、機器の有するコンテンツデータやインターネットの情報を外部から利用することによりコストの削減と有効利用化が望まれている。
【０００７】
【特許文献１】
特表２００２−５０７０８３号公報
【０００８】
【発明が解決しようとする課題】
しかしながら上記従来のネットワーク接続装置では、以下のような課題を有していた。
【０００９】
（１）携帯電話機やＰＤＡ等の携帯端末においてはＩＰ化されたＩＰパケットデータの通信が行われており、また、ＰＣにおいてもＩＰ化された情報が用いられているものの、従来のネットワーク接続装置では、家庭内やオフィス内等に設置された機器のデジタル情報（データ、音声、画像等）等のコンテンツデータを外部の携帯電話機やＰＤＡ等の携帯端末に通信することはできないため外部からこれらのコンテンツデータを利用することができず利用性に欠けるという課題を有していた。
【００１０】
（２）また、携帯電話機においては、携帯電話用の専用網を用いた通話やＩＰ化されたＩＰパケットデータの通信が可能であるが、一般電話機による通話や家庭内やオフィス内に設置されたＰＣ等によるＩＳＰを介したＩＰパケットデータの通信と比較して利用料金が高く省コスト性及び利用性に欠けるという課題を有していた。
【００１１】
本発明は上記従来の課題を解決するもので、インターネット等の外部のネットワークと家庭内やオフィス内に設置された機器と屋外で使用される携帯電話機や携帯端末等とを有機的に接続することにより、外部の携帯電話機や携帯端末等により公衆電話回線網を使用した通話を行うことができると共に家庭内やオフィス内に設置された機器のコンテンツデータやインターネットの情報を利用することができるネットワーク接続装置を提供することを目的とする。
【００１２】
【課題を解決するための手段】
上記課題を解決するために、本発明のネットワーク接続装置は、全体を管理する管理部と、ＷＡＮやインターネット等の外部ネットワークに接続する物理層からなる第１のインターフェース部と、ＬＡＮ等の内部ネットワークに接続する物理層からなる第２のインターフェース部と、ＰＳＴＮ等の公衆電話回線網に接続する物理層からなる電話線インターフェース部と、前記第１、第２のインターフェース部及び電話線インターフェース部に対する入出力通信を制御する通信制御部と、前記第１のインターフェース部又は前記第２のインターフェース部から受信したデータを記憶する記憶部と、を備え、前記管理部は、前記第１のインターフェース部又は前記第２のインターフェース部或いは前記電話線インターフェース部から受信したデータを記憶部に記憶し、記憶した前記データを前記第１のインターフェース部又は前記第２のインターフェース部或いは前記電話線インターフェース部に送信する構成を有している。
【００１３】
この構成により、インターネット等の外部のネットワークと家庭内やオフィス内に設置された機器と屋外で使用される携帯電話機や携帯端末等とを有機的に接続することにより、外部の携帯電話機や携帯端末等により公衆電話回線網を使用した通話を行うことができると共に家庭内やオフィス内に設置された機器のコンテンツデータやインターネットの情報を利用することができるネットワーク接続装置を提供することができる。
【００１４】
【発明の実施の形態】
本発明の請求項１に記載のネットワーク接続装置は、全体を管理する管理部と、ＷＡＮやインターネット等の外部ネットワークに接続する物理層からなる第１のインターフェース部と、ＬＡＮ等の内部ネットワークに接続する物理層からなる第２のインターフェース部と、ＰＳＴＮ等の公衆電話回線網に接続する物理層からなる電話線インターフェース部と、第１、第２のインターフェース部及び電話線インターフェース部に対する入出力通信を制御する通信制御部と、第１のインターフェース部又は第２のインターフェース部から受信したデータを記憶する記憶部と、を備え、管理部は、第１のインターフェース部又は第２のインターフェース部或いは電話線インターフェース部から受信したデータを記憶部に記憶し、記憶したデータを第１のインターフェース部又は第２のインターフェース部或いは電話線インターフェース部に送信する構成を有している。
【００１５】
この構成により、以下の作用を有する。
【００１６】
（１）携帯電話機や携帯端末を用い、遠隔地等から第１のインターフェース部を介してネットワーク接続装置に有機的に接続することができるので、容易に融通性の高いネットワークシステムを構築することができる。
【００１７】
（２）外部の携帯電話機や携帯端末において、第２のインターフェース部に接続された機器からネットワーク接続装置の記憶部に記憶されたデータを転送又はダウンロード等することができるので、例えば、携帯端末によりリアルタイムで音楽データを再生して聴くことができ、或いは携帯端末の記憶装置にデータのダウンロードをすることにより、データのダウンロード及び鑑賞を行うことができ、遠隔地においても容易に家庭内やオフィス内等の機器のデータを利用することができる。
【００１８】
（３）家庭内やオフィス内の機器の制御や該機器に記憶されたコンテンツデータの送受信を円滑に行うことができる。
【００１９】
ここで、第１のインタフェース部におけるインタフェースの物理層としては、電話線、光ファイバー、同軸ケーブル、電力線、無線等の通信インタフェースを用いることができる。また、第２のインタフェース部におけるインタフェースの物理層としては、イーサネット（Ｒ）、光ファイバー、同軸ケーブル、電力線、無線等の通信インタフェースを用いることができる。
【００２０】
本発明の請求項２に記載の発明は、請求項１に記載のネットワーク接続装置であって、第１のインターフェース部はＩＰ網を伝送する制御用データとしてのＩＰパケットデータを通信する接続線であり、管理部は、ＩＰ網を介して第１のインターフェース部から受信した制御用データを通信制御部を介して第２のインターフェース部へ送信する構成を有している。
【００２１】
この構成により、請求項１の作用に加え、以下の作用を有する。
【００２２】
（１）ネットワーク接続装置に第２のインターフェース部を介して接続された機器の制御を第１のインターフェース部に接続された外部の携帯電話機や携帯端末から行うことができる。
【００２３】
本発明の請求項３に記載の発明は、請求項１又は２に記載のネットワーク接続装置であって、管理部は、第１のインターフェース部よりデータを要求する指令データを受信した場合、予め第２のインターフェース部から記憶部に記憶されている要求されたデータをＩＰパケットデータに変換して第１のインターフェース部に送信する構成を有している。
【００２４】
この構成により、請求項１又は２の作用に加え、以下の作用を有する。
【００２５】
（１）外部の携帯電話機や携帯端末からデータの転送又はダウンロード等を指令する指令データをネットワーク接続装置に送信することにより、記憶部に記憶されたデータを転送又はダウンロード等することができるので、遠隔地においても容易に家庭内やオフィス内等の機器のデータを利用することができる。
【００２６】
本発明の請求項４に記載の発明は、請求項１乃至３の内いずれか１項に記載のネットワーク接続装置であって、第１のインターフェース部又は第２のインターフェース部或いは電話線インターフェース部から受信したデータの内容に基づいてデータの送信又は転送を制御するサーバ部を備えた構成を有している。
【００２７】
この構成により、請求項１乃至３の内いずれか１項の作用に加え、以下の作用を有する。
【００２８】
（１）サーバ部は、第１のインターフェース部によりＩＰ網を経由してデータを通信し、予めインターネットの契約を行ったＩＳＰと通信することができるので、携帯電話機や携帯端末により外部からネットワーク接続装置に通信することで、ＩＳＰからのインターネットの情報をネットワーク接続装置を介して通信することができる。
【００２９】
（２）サーバ部が簡易なＩＳＰ機能を有しているので、外部の携帯電話機や携帯端末等からインターネットおよびメール等のＩＳＰを経由するデータをネットワーク接続装置を介して送受信することができる。
【００３０】
本発明の請求項５に記載の発明は、請求項４に記載のネットワーク接続装置であって、サーバ部は、電話線インターフェース部を介して接続されたインターネットサービスプロバイダからホスト側ＩＰアドレスを取得し、第１のインターフェース部又は第２のインターフェース部に接続された機器に各々個別のクライアント側ＩＰアドレスを付与する構成を有している。
【００３１】
この構成により、以下の作用を有する。
【００３２】
（１）サーバ部は、グローバルＩＰアドレスまたは、ＩＰｖ６等で固有のアドレス等のホスト側ＩＰアドレスをＩＳＰから取得することができると共に、接続された機器に対してクライアント側ＩＰアドレスを付与することができるので、外部の携帯電話機や携帯端末等の機器から、ネットワーク接続装置を経由して予め契約されたＩＳＰを介してインターネットの情報をダウンロードすることができ、インターネットの情報を遠隔地において容易に利用することができる。
【００３３】
本発明の請求項６に記載の発明は請求項１乃至５の内いずれか１項に記載のネットワーク接続装置は、第１のインターフェース部又は第２のインターフェース部を伝送する通信プロトコルデータと電話線インターフェース部を伝送するアナログデータとを相互に変換する回線制御部を備えた構成を有している。
【００３４】
この構成により、請求項１乃至５の内いずれか１項の作用に加え、以下の作用を有する。
【００３５】
（１）通信制御部にてＩＰ化された電話データを回線制御部にて呼制御をＰＳＴＮ等の公衆電話回線網を通じて行い、通信データをアナログデータとしてＰＳＴＮ等の公衆電話回線網で通信すると共に、呼制御をＰＳＴＮ、ＩＰデータ間で行うよう回線制御部と通信制御部で共に制御することができる。
【００３６】
（２）携帯電話機から公衆電話回線網の一般電話機に通話を行う際に、ネットワーク接続装置まではＩＰパケットデータで通信し、ネットワーク接続装置内部の回線制御部により比較的低料金の公衆電話回線網の通信へ変換することができるので、通話料金の低減化を実現し携帯電話機による通話を低料金で且つ簡単に行うことができる。
【００３７】
本発明の請求項７に記載の発明は、請求項６に記載のネットワーク接続装置であって、第１のインターフェース部はＩＰ網を伝送する音声データとしてのＩＰパケットデータを通信する接続線であり、回線制御部は、ＩＰパケットデータを公衆電話回線網を伝送する電話線用アナログデータに変換し電話線インターフェース部に送信又は第１のインターフェース部にデータを重畳して送信し回線交換方式で音声データの通信を行う構成を有している。
【００３８】
この構成により、請求項６の作用に加え、以下の作用を有する。
【００３９】
（１）外部の携帯電話機や携帯端末等からＩＰパケットデータを用いて通話を行う際に、ネットワーク接続装置の回線制御部においてＩＰパケットデータを電話線用アナログデータに変換することができるので、通話料の安い回線に変換して通話を行うことができる。
【００４０】
以下に本発明の一実施の形態について説明する。
【００４１】
（実施の形態１）
図１は本発明の実施の形態１によるネットワーク接続装置を有するネットワークシステムを示すブロック図である。
【００４２】
図１において、１は家庭内やオフィス内に設置されたＰＣ等の機器を集約してインターネットに接続するネットワーク接続装置、１ａはインターフェース等を介して通信されるデータ及びネットワーク接続装置１全体を管理する管理部、２はインターフェースに対する入出力通信を制御しネットワークに対するルーティング機能やゲートウェイ機能を有する通信制御部、３はＬＣＤ等の表示装置やＬＥＤにより構成されネットワーク接続装置１の動作状況や障害情報等を表示する表示部、４は半導体メモリや磁気メモリ、光メモリ等により構成された記憶部、５はインターネット等の外部のネットワークへ接続する物理層からなる第１のインターフェース部としてのＷＡＮ（Ｗｉｄｅ  Ａｒｅａ  Ｎｅｔｗｏｒｋ：広域ネットワーク）インターフェース部、６は家庭内やオフィス内等に設置された機器等を接続する内部ネットワークとしてのＬＡＮ６ａに接続する物理層からなる第２のインターフェース部としてのＬＡＮインターフェース部、７は後述の公衆電話交換網（以下、ＰＳＴＮという）等の公衆電話回線網に接続する物理層からなる電話線インターフェース部、８はデータのパケット処理を行うと共に音声のアナログ処理を行う回線制御部、９は簡易的なＩＳＰとして機能するサーバ部、１０ａ〜１０ｃはＬＡＮ６ａに接続され家庭内やオフィス内に設置された機器としてのＰＣ、１１はＩＰベースの外部ネットワークであるインターネット、１２は公衆回線網であるＰＳＴＮ、１３はＰＳＴＮ１２を介してインターネット１１の情報を提供するＩＳＰ、１４はＰＳＴＮ１２に接続された一般電話機、１５は携帯電話用の専用網等を介してインターネット１１に接続可能な携帯電話機である。
【００４３】
ネットワーク接続装置１は、ＷＡＮインターフェース部５によりインターネット１１に接続され、電話線インターフェース部７によりＰＳＴＮ１２に接続され、ＬＡＮインターフェース部６によりＬＡＮ６ａを介してＰＣ１０ａ〜１０ｃに接続され、各々のネットワーク、即ちインターネット１１とＰＳＴＮ１２とＬＡＮ６ａとを相互に接続している。
【００４４】
なお、ＷＡＮインタフェース部５やＬＡＮインタフェース部６、電話線インターフェース部７におけるインタフェースの物理層としては上述したものに限られるものではなく、物理層としてイーサネット（Ｒ）、電話線、光ファイバー、同軸ケーブル、電力線、無線などの通信インタフェースを用いることもできる。
【００４５】
本実施の形態１のネットワーク接続装置１は、ＩＰパケットデータと電話線用アナログデータを相互に変換する回線制御部８を有しているので、携帯電話機１５や携帯端末等と一般電話機１４との間の通話の際に通話料金の比較的安い回線を選択することができる。
【００４６】
以下、携帯電話１５と一般電話機１４との間の通話動作について図を用いて説明する。
【００４７】
図２は携帯電話機と一般電話機との間の通話動作を示すフローチャートである。
【００４８】
図２に示すように、通信制御部２は、ＷＡＮインターフェース部５を介して携帯電話機１５から通信先の電話番号をＩＰパケットデータとして受信する。通信制御部２は、受信したＩＰパケットデータを回線制御部８に送信する（Ｓ１）。回線制御部８は、通信先の電話番号をＩＰパケットデータとして受信すると、受信したＩＰパケットデータを電話線用アナログデータに変換し（Ｓ２）、電話線インターフェース部７、ＰＳＴＮ１２を介して呼制御処理により一般電話機１４に通話発信を行う。これにより、回線制御部８と一般電話機１４との間に回線交換方式により回線が接続される（Ｓ３）。回線制御部８と一般電話機１４間の回線が接続されると、携帯電話機１５からＩＰパケットデータとして送信された音声データは、インターネット１１、ＷＡＮインターフェース部５、通信制御部２を介して回線制御部８に受信され、回線制御部８において電話線用アナログデータに変換され、接続された回線を介して一般電話機１４に送信される。また、一般電話機１４から電話線アナログデータとして送信された音声データは、ＰＳＴＮ１２、電話線インターフェース部７を介して回線制御部８に受信され、回線制御部８においてＩＰパケットデータに変換され、通信制御部２、ＷＡＮインターフェース部５、インターネット１１を介して携帯電話機１５に送信される（Ｓ４）。このようにして、携帯電話機１５と一般電話機１４との間で通話が行われる。
【００４９】
また、本実施の形態１のネットワーク接続装置１は、ＩＳＰ１３と契約した公衆電話回線が接続される電話線インターフェース部７と、サーバ機能を有するサーバ部９とを有しているので、簡易的なＩＳＰとしてネットワーク接続装置１を機能させ、ＬＡＮインターフェース部６に接続された機器や、携帯電話機１５や携帯端末等からＩＳＰ１３を通じてインターネット１１に接続することができる。
【００５０】
以下、携帯電話機１５からのインターネット接続動作について図を用いて説明する。
【００５１】
図３は携帯電話機からのインターネット接続動作を示すフローチャートである。
【００５２】
まず、サーバ部９は、予め電話線インターフェース部７、ＰＳＴＮ１２を介して接続されたＩＳＰ１３からグローバルＩＰアドレスやプライベートＩＰアドレス等のホスト側ＩＰアドレスを取得する。ネットワーク接続装置１とＩＳＰ１３との間のＩＰパケットデータの送受信は、取得したホスト側ＩＰアドレスを用いて行われる。次に、サーバ部９は、ＬＡＮインターフェース部６に接続されたＰＣ１０ａ〜１０ｃやＷＡＮインターフェース部５にインターネット１１を介して接続された携帯電話機１５に各々個別のクライアント側ＩＰアドレス、サブネットマスク、ゲートウェイアドレス等のアクセスに関する情報を付与する。ネットワーク接続装置１とＰＣ１０ａ〜１０ｃや携帯電話機１５との間のＩＰパケットデータの送受信はクライアント側ＩＰアドレス、サブネットマスク、ゲートウェイアドレス等を用いて行われる。
【００５３】
図３に示すように、携帯電話機１５からインターネット１１のホームページを閲覧する場合は、まず、携帯電話機１５から所望のホームページの閲覧を要求するデータがＩＰパケットデータとして送信される。送信されたＩＰパケットデータは、インターネット１１、ＷＡＮインターフェース部５、通信制御部２、管理部１ａを介してサーバ部９により受信される（Ｓ６）。このＩＰパケットデータには、所望のホームページのＵＲＬや、携帯電話機１５に付与されたクライアント側ＩＰアドレス等のアクセスに関する情報が含まれており、携帯電話機１５はこのアクセスに関する情報を基に送信先としてサーバ部９のＩＰアドレスを設定して送信する。サーバ部は受信したＩＰパケットデータを解読し、送信先としてＩＳＰ１３のＩＰアドレスを設定し、通信制御部２、電話線インターフェース部７、ＰＳＴＮ１２を介してＩＳＰ１３へ所望のホームページの転送を要求するデータをＩＰパケットデータとして送信する（Ｓ７）。ＩＳＰ１３は受信したＩＰパケットデータに含まれている要求されたホームページのＵＲＬの情報を基にそのホームページのデータを、受信したＩＰパケットデータに含まれる送信元のＩＰアドレス、すなわちサーバ部９のＩＰアドレス（ホスト側ＩＰアドレス）に転送する。サーバ部９は、転送されたホームページのデータを受信し（Ｓ８）、受信したホームページのデータを携帯電話機１５に付与されたクライアント側ＩＰアドレスに転送する（Ｓ９）。これにより、携帯電話機１５により要求したホームページのデータを受信し閲覧することができる。
【００５４】
なお、ＬＡＮインターフェース部６に接続されたＰＣ１０ａ〜１０ｃからインターネット１１のホームページを閲覧する場合も同様にして、ＰＣ１０ａ〜１０ｃにより要求したホームページを閲覧することができる。
【００５５】
更に、本実施の形態１におけるネットワーク接続装置１は、携帯電話機１５又はＰＤＡ等の携帯端末と、ＬＡＮインターフェース部に接続され家庭内やオフィス内等に設置されたＰＣ１０ａ〜１０ｃ、オーディオビジュアル用機器、電話機やファクシミリ等の通信機器等（図示せず）と、ＷＡＮインターフェース部５に接続されたインターネット等のＩＰ網と、をＩＰパケットデータを介して有機的に接続し、携帯電話機１５や携帯端末等を使用してインターネット１１の情報や家庭内やオフィス内に設置された機器が記憶しているデータ、オーディオ、画像等の情報を自由に転送することができる。
【００５６】
以下、携帯電話機１５と家庭内やオフィス内に設置されたＰＣ１０ａ〜１０ｃと間の情報の転送動作について図を用いて説明する。
【００５７】
図４は携帯電話機と家庭内やオフィス内に設置されたＰＣと間の情報の転送動作を示すフローチャートである。
【００５８】
図４に示すように、まず、管理部１ａは、要求するＰＣ１０ａ〜１０ｃのハードディスク等の記憶装置に記憶されたオーディオビデオデータや画像データ等（以下、コンテンツデータという）をＬＡＮインターフェース部６、通信制御部２を介して記憶部４に記憶する（Ｓ１０）。なお、コンテンツデータはＰＣ１０ａ〜１０ｃから送信される際に、又は記憶部４から転送される際に、通信制御部２により所望のアドレス及び制御データを付加したＩＰパケットベースのデータに変換される。また、コンテンツデータをＩＰパケットデータとして記憶部４に記憶する際に、管理部１ａはコンテンツデータを転送先の携帯電話機１５の通信帯域や転送速度に適合する容量や形式に加工して記憶する。
【００５９】
管理部１ａは、携帯電話機１５により記憶部４に記憶されたコンテンツデータを要求するＩＰパケットデータを受信すると（Ｓ１１）、要求されたコンテンツデータを記憶部４から通信制御部２、ＷＡＮインターフェース部５、インターネット１１を介して携帯電話機１５へ転送する（Ｓ１２）。なお、ここで、携帯電話機１５がコンテンツデータを十分蓄積可能な容量のメモリを有している場合は、携帯電話機１５はコンテンツのダウンロードを要求することもできる。携帯電話機１５が十分な容量のメモリを有していない場合は、受信したデータを逐次ＬＣＤ等の表示部に表示できる形式のデータを要求する。このようにして、携帯電話機１５は転送されたコンテンツデータをダウンロード又は受信することで、そのコンテンツデータを鑑賞することができる。
【００６０】
以上のように本実施の形態１のネットワーク接続装置１は構成されているので、以下のような作用を有する。
【００６１】
（１）外部の携帯電話機１５からＩＰパケットデータを用いて通話を行う際に、ネットワーク接続装置１の回線制御部８においてＩＰパケットデータを電話線用アナログデータに変換することができるので、通話料の安い回線に変換して通話を行うことができる。
【００６２】
（２）携帯電話機１５により一般電話機１４へ通話する際に、ネットワーク接続装置１まではＩＰパケットデータで通信し、ネットワーク接続装置１内部の回線制御部８により比較的低料金のＰＳＴＮ１２の通信へ変換することができるので、通話料金の低減化を実現し携帯電話機１５による通話を簡単に且つ低料金で行うことができる。
【００６３】
（３）サーバ部９は、ＷＡＮインターフェース部５によりＩＰ網であるインターネット１１を経由してデータを通信し、予め契約を行ったＩＳＰ１３と通信することができるので、携帯電話機１５により外部からネットワーク接続装置１に通信することで、ＩＳＰ１３からのインターネット１１の情報をネットワーク接続装置１を介して通信することができる。
【００６４】
（４）サーバ部９は、グローバルＩＰアドレス等のホスト側ＩＰアドレスをＩＳＰ１３から取得することができると共に、接続された携帯電話機１５やＰＣ１０ａ〜１０ｃに対してクライアント側ＩＰアドレスを付与することができるので、外部の携帯電話機１５から、ネットワーク接続装置１を経由して予め契約されたＩＳＰ１３を介してインターネット１１の情報をダウンロードすることができ、インターネット１１の情報を遠隔地において容易に利用することができる。
【００６５】
（５）外部の携帯電話機１５において、ＬＡＮインターフェース部６に接続されたＰＣ１０ａ〜１０ｃからネットワーク接続装置１の記憶部４に記憶されたデータを転送又はダウンロード等することができるので、携帯電話機１５によりリアルタイムで音楽データを再生して聴くことができ、或いは携帯電話機１５の記憶装置にデータのダウンロードをすることにより、データのダウンロード及び鑑賞を行うことができ、遠隔地においても容易にデータを利用することができる。
【００６６】
（６）外部の携帯電話機１５において、要求するデータを指令する指令データをネットワーク接続装置１に送信することにより、記憶部４に記憶されたデータを転送又はダウンロード等することができるので、遠隔地においても容易にデータを利用することができる。
【００６７】
なお、本実施の形態１においては、ＷＡＮインターフェース部５やＬＡＮインターフェース部６はネットワーク接続装置１に各々１つずつ設けられているが、これに限られるものではなく、インターネットと他のＩＰ網等の外部ネットワークに接続する複数のＷＡＮインターフェース部５を備えてもよく、また、イーサネット（Ｒ）等のその他のＬＡＮに接続する複数のＬＡＮインターフェース部を備えてもよい。
【００６８】
【発明の効果】
以上のように本発明のネットワーク接続装置によれば、以下のような有利な効果を得ることができる。
【００６９】
請求項１に記載の発明によれば、
（１）携帯電話機や携帯端末を用い、遠隔地等から第１のインターフェース部を介してネットワーク接続装置に有機的に接続することができるので、容易に融通性の高いネットワークシステムを構築することができる利用性に優れたネットワーク接続装置を提供することができる。
【００７０】
（２）外部の携帯電話機や携帯端末において、第２のインターフェース部に接続された機器からネットワーク接続装置の記憶部に記憶されたデータを転送又はダウンロード等することができるので、例えば、携帯端末によりリアルタイムで音楽データを再生して聴くことができ、或いは携帯端末の記憶装置にデータのダウンロードをすることにより、データのダウンロード及び鑑賞を行うことができ、遠隔地においても容易に家庭内やオフィス内等の機器のデータを利用することができるネットワーク接続装置を提供することができる。
【００７１】
（３）家庭内やオフィス内の機器の制御や該機器に記憶されたコンテンツデータの送受信を円滑に行うことができるネットワーク接続装置を提供することができる。
【００７２】
請求項２に記載の発明によれば、請求項１の効果に加え、
（１）ネットワーク接続装置に第２のインターフェース部を介して接続された機器の制御を第１のインターフェース部に接続された外部の携帯電話機や携帯端末から行うことができるネットワーク接続装置を提供することができる。
【００７３】
請求項３記載の発明によれば、請求項１又は２の効果に加え、
（１）外部の携帯電話機や携帯端末からデータの転送又はダウンロード等を指令する指令データをネットワーク接続装置に送信することにより、記憶部に記憶されたデータを転送又はダウンロード等することができるので、遠隔地においても容易に家庭内やオフィス内等の機器のデータを利用することができる利用性に優れたネットワーク接続装置を提供することができる。
【００７４】
請求項４記載の発明によれば、請求項１乃至３の内いずれか１項の効果に加え、
（１）サーバ部は、第１のインターフェース部によりＩＰ網を経由してデータを通信し、予めインターネットの契約を行ったＩＳＰと通信することができるので、携帯電話機や携帯端末により外部からネットワーク接続装置に通信することで、ＩＳＰからのインターネットの情報をネットワーク接続装置を介して通信することができるネットワーク接続装置を提供することができる。
【００７５】
（２）サーバ部が簡易なＩＳＰ機能を有しているので、外部の携帯電話機や携帯端末等からインターネットおよびメール等のＩＳＰを経由するデータをネットワーク接続装置を介して送受信することができるネットワーク接続装置を提供することができる。
【００７６】
請求項５記載の発明によれば、請求項４の効果に加え、
（１）サーバ部は、グローバルＩＰアドレスまたは、ＩＰｖ６等で固有のアドレス等のホスト側ＩＰアドレスをＩＳＰから取得することができると共に、接続された機器に対してクライアント側ＩＰアドレスを付与することができるので、外部の携帯電話機や携帯端末等の機器から、ネットワーク接続装置を経由して予め契約されたＩＳＰを介してインターネットの情報をダウンロードすることができ、インターネットの情報を遠隔地において容易に利用することができる利用性に優れたネットワーク接続装置を提供することができる。
【００７７】
請求項６記載の発明によれば、請求項１乃至５の内いずれか１項の効果に加え、
（１）通信制御部にてＩＰ化された電話データを回線制御部にて呼制御をＰＳＴＮ等の公衆電話回線網を通じて行い、通信データをアナログデータとしてＰＳＴＮ等の公衆電話回線網で通信すると共に、呼制御をＰＳＴＮ、ＩＰデータ間で行うよう回線制御部と通信制御部で共に制御することができるネットワーク接続装置を提供することができる。
【００７８】
（２）携帯電話機から公衆電話回線網の一般電話機に通話を行う際に、ネットワーク接続装置まではＩＰパケットデータで通信し、ネットワーク接続装置内部の回線制御部により比較的低料金の公衆電話回線網の通信へ変換することができるので、通話料金の低減化を実現し携帯電話機による通話を低料金で且つ簡単に行うことができる省コスト性に優れたネットワーク接続装置を提供することができる。
【００７９】
請求項７記載の発明によれば、請求項６の効果に加え、
（１）外部の携帯電話機や携帯端末等からＩＰパケットデータを用いて通話を行う際に、ネットワーク接続装置の回線制御部においてＩＰパケットデータを電話線用アナログデータに変換することができるので、通話料の安い回線に変換して通話を行うことができる省コスト性に優れたネットワーク接続装置を提供することができる。
【図面の簡単な説明】
【図１】本発明の実施の形態１によるネットワーク接続装置を有するネットワークシステムを示すブロック図
【図２】携帯電話機と一般電話機との間の通話動作を示すフローチャート
【図３】携帯電話機からのインターネット接続動作を示すフローチャート
【図４】携帯電話機と家庭内やオフィス内に設置されたＰＣと間の情報の転送動作を示すフローチャート
【図５】従来のネットワーク接続装置としてのルータを用いたネットワークシステムの構成図
【符号の説明】
１  ネットワーク接続装置
１ａ  管理部
２  通信制御部
３  表示部
４  記憶部
５  ＷＡＮインターフェース部（第１のインターフェース部）
６  ＬＡＮインターフェース部（第２のインターフェース部）
６ａ  ＬＡＮ
７  電話線インターフェース部
８  回線制御部
９  サーバ部
１０ａ，１０ｂ，１０ｃ  ＰＣ
１１  インターネット
１２  ＰＳＴＮ
１３  ＩＳＰ
１４  一般電話機
１５  携帯電話機
１０１  インターネット
１０１ａ  ＩＳＰ
１０２  ルータ
１０３  イーサネット（Ｒ）
１０４ａ，１０４ｂ，１０４ｃ  ＰＣ
【図１】
2004165773.tif 000003
【図２】
2004165773.tif 000004
【図３】
2004165773.tif 000005
【図４】
2004165773.tif 000006
【図５】
2004165773.tif 000007